(57)【要約】  立体視アイウェア、その製造方法及びシステムを記載する。立体視アイウェアは、立体視が可能となるようエンコードされた偏光を検光する右目フィルタ及び左目フィルタを含む。フィルタは、吸収軸を有するロール型偏光子を使用して形成される。ポリマー位置合わせ層が、ロール型偏光子の一部上に堆積される。液晶ポリマー（ＬＣＰ）層が、ポリマー位置合わせ層上に堆積される。ポリマー位置合わせ層及びＬＣＰ層は、ロール型偏光子の吸収軸に対して所定の角度にある光軸を有する少なくとも１つのリターダを供給する。記載する実施形態は、線形光重合可能ポリマー（ＬＰＰ）、ブラッシング又はロールされるポリイミドのうち少なくとも１つを含みうるポリマー位置合わせ層を含む。【選択図】  図１
2009505160.tif 000002
【特許請求の範囲】
【請求項１】
円偏光を検光する一のフィルタを含む立体視アイウェアであって、
前記フィルタは、
一の吸収軸を有する一のロール型偏光子と、
前記ロール型偏光子の一部上に堆積される一のポリマー位置合わせ層と、
前記ポリマー位置合わせ層上に堆積される一の液晶ポリマー（ＬＣＰ）層と、
を含み、
前記ポリマー位置合わせ層及び前記ＬＣＰ層は、前記ロール型偏光子の前記吸収軸に対して実質的に４５度の角度にある一の光軸を有する一の４分の１波長リターダを供給する、立体視アイウェア。
【請求項２】
前記ポリマー位置合わせ層は、一の線形光重合可能ポリマー（ＬＰＰ）を含む、請求項１に記載の立体視アイウェア。
【請求項３】
前記ポリマー位置合わせ層は、ポリイミドを含み、
前記位置合わせは、前記ポリイミドを前記吸収軸に対して前記実質的に４５度の角度でブラッシングすること、又は、前記吸収軸に対して前記実質的に４５度の角度で一のローラを当てることのうちの１つにより供給される、請求項１に記載の立体視アイウェア。
【請求項４】
前記吸収軸は、前記ロール型偏光子を担持する一のロールの軸に対して垂直である、請求項１に記載の立体視アイウェア。
【請求項５】
前記ＬＣＰ層及び前記ポリマー位置合わせ層は、前記シート偏光子と組み合わされて、前記円偏光を検光する一の検光子を供給する、請求項１に記載の立体視アイウェア。
【請求項６】
前記ポリマー位置合わせ層は、０．０１乃至０．１ミクロンの範囲の厚さを有する、請求項１に記載の立体視アイウェア。
【請求項７】
前記ＬＣＰ層は、０．１乃至２．０ミクロンの範囲の厚さを有する、請求項１に記載の立体視アイウェア。
【請求項８】
前記ＬＣＰ層は、４分の１波長のリターダンスを有する一のリターダを供給する、請求項１に記載の立体視アイウェア。
【請求項９】
前記ＬＣＰ層は、１００乃至２００ナノメートルの範囲のリターダンスを有する一のリターダを供給する、請求項１に記載の立体視アイウェア。
【請求項１０】
偏光を検光する前記フィルタは、右円偏光及び左円偏光のうち１つを検光する、請求項１に記載の立体視アイウェア。
【請求項１１】
前記フィルタを収容するための一のプラスチックのフレームをさらに含む、請求項１に記載の立体視アイウェア。
【請求項１２】
前記フィルタを収容するための一の紙のフレームをさらに含む、請求項１に記載の立体視アイウェア。
【請求項１３】
立体像を目視するための立体視アイウェアを製造する方法であって、
一の吸収軸を有する一のロール型偏光子を供給する工程と、
前記ロール型偏光子の一部上に一のポリマー位置合わせ層を堆積する工程と、
前記ポリマー位置合わせ層上に一の液晶ポリマー（ＬＣＰ）層を堆積する工程と、
を含み、
前記ポリマー位置合わせ層は、前記ロール型偏光子の前記吸収軸に対して実質的に４５度の角度にある一の光軸を有する一のリターダを供給するよう前記ＬＣＰ層の複数の分子に対して実質的に位置合わせする、立体像を目視するための立体視アイウェアを製造する方法。
【請求項１４】
前記ポリマー位置合わせ層は、一の線形光重合可能ポリマー（ＬＰＰ）を含む、請求項１３に記載の立体像を目視するための立体視アイウェアを製造する方法。
【請求項１５】
前記ポリマー位置合わせ層は、ポリイミドを含み、
前記位置合わせは、前記ポリイミドを前記吸収軸に対して前記実質的に４５度の角度でブラッシングすること、又は、前記吸収軸に対して前記実質的に４５度の角度で一のローラを当てることのうちの１つにより供給される、請求項１３に記載の立体像を目視するための立体視アイウェアを製造する方法。
【請求項１６】
前記吸収軸は、前記ロール型偏光子を担持する一のロールの軸に対して垂直である、請求項１３に記載の立体像を目視するための立体視アイウェアを製造する方法。
【請求項１７】
前記ＬＣＰ層及び前記ポリマー位置合わせ層は、前記シート偏光子と組み合わされて、円偏光を検光する一の検光子を供給する、請求項１３に記載の立体像を目視するための立体視アイウェアを製造する方法。
【請求項１８】
堆積される前記ポリマー位置合わせ層は、０．０１乃至０．１ミクロンの範囲の厚さを有する、請求項１３に記載の立体像を目視するための立体視アイウェアを製造する方法。
【請求項１９】
前記ＬＣＰ層は、０．１乃至２．０ミクロンの範囲の厚さを有する、請求項１３に記載の立体像を目視するための立体視アイウェアを製造する方法。
【請求項２０】
前記ＬＣＰ層は、４分の１波長のリターダンスを有する一のリターダを供給する、請求項１３に記載の立体像を目視するための立体視アイウェアを製造する方法。
【請求項２１】
前記ＬＣＰ層は、１００乃至２００ナノメートルの範囲のリターダンスを有する一のリターダを供給する、請求項１３に記載の立体像を目視するための立体視アイウェアを製造する方法。
【請求項２２】
偏光を検光する一のフィルタを含む立体視アイウェアであって、
前記フィルタは、
一の吸収軸を有する一のロール型偏光子と、
前記ロール型偏光子の一部上に堆積される一の第１のリターダと、
前記第１のリターダ上に堆積される一の第２のリターダと、
を含み、
前記第１のリターダは、一の第１のポリマー位置合わせ層と、前記第１のポリマー位置合わせ層上に堆積される一の第１の液晶ポリマー（ＬＣＰ）層とを含み、
前記第２のリターダは、一の第２のポリマー位置合わせ層と、前記第２のポリマー位置合わせ層上に堆積される一の第２の液晶ポリマー（ＬＣＰ）層とを含む、立体視アイウェア。
【請求項２３】
前記第１のポリマー位置合わせ層は、一の線形光重合可能ポリマー（ＬＰＰ）を含む、請求項２２に記載の立体視アイウェア。
【請求項２４】
前記第１のポリマー位置合わせ層は、ポリイミドを含み、
前記位置合わせは、前記ポリイミドを前記吸収軸に対して実質的に４５度の角度でブラッシングすること、又は、前記吸収軸に対して前記実質的に４５度の角度で一のローラを当てることのうちの１つにより供給される、請求項２２に記載の立体視アイウェア。
【請求項２５】
前記第１のリターダは、前記ロール型偏光子の前記吸収軸に対する一の第１の光軸を有し、
前記第２のリターダは、前記ロール型偏光子の前記吸収軸に対する一の第２の光軸を有する、請求項２２に記載の立体視アイウェア。
【請求項２６】
前記第１のリターダは、第１のリターダンス値を有し、
前記第２のリターダは、第２のリターダンス値を有する、請求項２２に記載の立体視アイウェア。
【発明の詳細な説明】
【関連出願への相互参照】
【０００１】
本願は、２００５年８月１９日に出願した「Matched Stereoscopic Passive Eyewear」なる名称の米国特許仮出願番号第６０／５９５，９６３号の優先権を主張する。この仮出願を本願に参照として組み込む。
【技術分野】
【０００２】
本開示は、一般的に、立体視アイウェアに係り、より具体的には、偏光エンコードされた像用のパッシブ立体視アイウェアに関する。
【背景技術】
【０００３】
立体知覚、立体画像化、又は３次元（３Ｄ）画像化は、３Ｄ視覚情報を記録する又は画像中に奥行きの錯覚を作成することのできる任意の技術である。写真、動画、ビデオゲーム、又は二次元画像における奥行きの錯覚は、各眼に対して僅かに異なる画像を提示することにより作成される。多くの３Ｄディスプレイは、この方法を使用して画像を伝達する。従来の立体像は、一対の２Ｄ画像から開始する３Ｄ錯覚の作成を含む。脳に奥行きを知覚させる最も簡単な方法は、目視者の両眼に、同一の対象の２つの視野を表す２つの異なる画像を、両眼が両眼視において自然に受け取る視野に類似する僅かな偏差で提示する方法である。
【０００４】
異なる偏光で各眼に向かう光を偏光エンコードすることを含む様々なタイプの３Ｄ画像化技術が既知である。これらのスキームは、対向する左右像（opposite handedness）の直交直線偏光状態又は円偏光状態を使用することが関連しうる。
【０００５】
直線偏光３Ｄスキームに関して、立体画を提示するには、２つの像が、直交偏光フィルタを介して同一のスクリーン上に重ね合わされて投影される。偏光が保存されるよう銀のスクリーンを使用することが最良である。目視者は、眼鏡を着用する。この眼鏡にも一対の直交偏光フィルタが含まれる。各フィルタは、同様に偏光された光だけを通し、直交に偏光された光は遮断するので、各眼は、１つの像しか見ず、期待の効果が達成される。直線偏光眼鏡では、ビューイングフィルタが傾斜すると左右のチャネルの像が反対のチャネルにはみ出してしまう（クロストークとも知られる）ので、目視者はその頭の位置を維持することを必要とする。さらに、頭部追跡が関連しないので、数人が同時に立体像を見ることができる。
【０００６】
円偏光３Ｄ画像システムに関して、立体画を提示するには、２つの像が、対向する左右像の円偏光フィルタを介して同一のスクリーン上に重ね合わされて投影される。目視者は、眼鏡を着用する。この眼鏡は、対向する左右像の一対の検光フィルタ（analyzing filter）（逆に取り付けられる円偏光子）を含む。左円偏光された光は、右側検光子により消光され、一方、右円偏光された光は、左側検光子により消光される。得られる結果は、直線偏光眼鏡を使用する場合の立体視の結果と同様であるが、ただ、目視者は、頭を傾斜しても、依然として左右の分離を維持することができる。米国特許第４，７９２，８５０号において、Liptonは、左右像に交互に切替え、また、この切替えを動画プロジェクタにより表示される左又は右の画像と同期して行う電子駆動円偏光子を使用する。ダイレクトビューディスプレイも、たとえば、偏光エンコードされた交互の画素を有することによって異なる眼に対し偏光状態をエンコードするために使用しうる。もう１つの可能性としては、２００６年６月１４日に出願され、「Achromatic Polarization Switches」なる名称の共通譲受した米国特許出願第１１／４２４，０８７号に開示されるような偏光スイッチを使用してアクティブにエンコードされる交互の左右の眼の像を、単一のディスプレイ又はプロジェクタが作成する場合が挙げられる。この出願は、本願に参照として組み込む。
【０００７】
偏光を利用した動画は、２０世紀中盤から存在している。そのような動画を見るためには、目視者は、通常、観賞用の一対の紙又はプラスチックでできた偏光眼鏡が与えられる。しかし、このようなメガネは製造するのに費用がかかり、また、比較的性能が悪く、目視者に眼のストレス、頭痛、及び、全体的に立体像にマイナスの認識を与えてしまいうる。従って、高性能且つ低費用の立体視アイウェアを製造する方法及び装置を提供することが望ましい。
【発明の概要】
【０００８】
本願では、上述のニーズ及びその他に対処する立体視アイウェア、及びそれを製造する方法並びにシステムを開示する。立体視アイウェアは、立体視が可能となるようエンコードされた偏光を検光する右目フィルタ及び左目フィルタを含む。フィルタは、吸収軸を有するロール型偏光子を使用して形成される。ポリマー位置合わせ層が、ロール型偏光子の一部上に堆積される。液晶ポリマー（ＬＣＰ）層が、ポリマー位置合わせ層上に堆積される。ポリマー位置合わせ層及びＬＣＰ層は、ロール型偏光子の吸収軸に対して所定の角度にある光軸を有する少なくとも１つのリターダを供給する。本願に記載する実施形態は、線形光重合可能ポリマー（ＬＰＰ）、ブラッシング又はロールされるポリイミドのうち少なくとも１つを含みうるポリマー位置合わせ層を含む。
【０００９】
一実施形態では、立体視アイウェアは、円偏光を検光するフィルタを含む。このフィルタは、吸収軸を有するロール型偏光子を含む。フィルタは更に、ロール型偏光子の一部上に堆積されるポリマー位置合わせ層と、ポリマー位置合わせ層上に堆積される液晶ポリマー（ＬＣＰ）層とを含む。この実施形態では、ポリマー位置合わせ層及びＬＣＰ層は、ロール型偏光子の吸収軸に対して実質的に４５度の角度にある光軸を有する４分の１波長リターダを供給する。
【００１０】
別の面では、立体像を目視するための立体視アイウェアを製造する方法は、吸収軸を有するロール型偏光子を供給する工程を含む。この方法は更に、ロール型偏光子の一部上にポリマー位置合わせ層を堆積する工程を含む。更に、この方法は、ポリマー位置合わせ層上に液晶ポリマー（ＬＣＰ）層を堆積する工程を含む。この方法に従って、ポリマー位置合わせ層は、ロール型偏光子の吸収軸に対して実質的に４５度の角度にある光軸を有するリターダを供給するようＬＣＰ層の複数の分子に対して実質的に位置合わせする。
【００１１】
別の実施形態では、立体視アイウェアは、偏光を検光するフィルタを含む。フィルタは、吸収軸を有するロール型偏光子を含む。この実施形態では、フィルタは、ロール型偏光子の一部上に堆積される第１のリターダを含み、第１のリターダは、第１のポリマー位置合わせ層と、第１のポリマー位置合わせ層上に堆積される第１の液晶ポリマー（ＬＣＰ）層とを含む。更に、フィルタは、第１のリターダ上に堆積される第２のリターダを含み、第２のリターダは、第２のポリマー位置合わせ層と、第２のポリマー位置合わせ層上に堆積される第２の液晶ポリマー（ＬＣＰ）層とを含む。一部の実施形態では、追加のリターダがフィルタ上に配置されてもよい。
【図面の簡単な説明】
【００１２】
本願に開示する原理及びその利点のより完全な理解を目的として、添付図面と共に以下の説明を参照する。
【００１３】
【図１】本開示による例示的な３Ｄ立体投影システムを示す斜視図である。
【００１４】
【図２】立体像によって背景に奥行き感覚をもたらす概念を説明する概略図である。
【００１５】
【図３】立体像によって前景における対象の奥行き感覚をもたらす概念を説明する概略図である。
【００１６】
【図４】本開示により左右像の円偏光をデコードするよう構成される一実施形態を示す略ブロック図である。
【００１７】
【図５】従来の円偏光検光子の漏れスペクトルと、本開示による円偏光検光子の漏れスペクトルを示すグラフである。
【００１８】
【図６】本開示によりロール型偏光子上の液晶ポリマーに基づいたリターダを処理する例示的なシステムを示す略ブロック図である。
【００１９】
【図７Ａ】本開示による例示的な検光アイウェアを示す概略図である。
【００２０】
【図７Ｂ】本開示により図７Ａの検光アイウェアを製造する例示的なシステムを示す概略図である。
【００２１】
【図８】本開示により偏光のエンコード及びデコードを供給する別の実施形態を示す略ブロック図である。
【発明を実施するための最良の形態】
【００２２】
図１は、例示的な３Ｄ立体投影システム１００を示す斜視図である。投影システム１００は、プロジェクタ１０４、マルチメディアソース１０６、コントローラ１０８、及び偏光スイッチを含む。偏光スイッチは、本願に参照として組み込む、２００６年６月１４日に出願した「Achromatic Polarization Switches」なる名称の共通譲受された米国特許出願番号第１１／４２４，０８７号に記載されるような無彩色偏光スイッチ（ＡＰＳ）１０２でありうる。ＡＰＳ１０２は、直交する直線偏光状態間で切り替わる。したがって、対向する左右像の円偏光状態を投影する目的で、ＡＰＳ１０２の後の光路において、ＡＰＳ１０２の出力偏光状態に対して４５度に方向付けられる４分の１波長板（ＱＷＰ）１０３が配置されうる。ＡＰＳ１０２は、時系列の画像と同期してディスプレイの出力偏光状態を時系列に変更するための直線偏光エンコード化を供給する。
【００２３】
魅力的で、フリッカのない立体視経験を作成する目的で、高解像度、フルカラー画像が、少なくとも１００Ｈｚ（各眼につき５０Ｈｚ）、また、可能ならばそれ以上のフレームレートで表示されうる。これは、様々なマイクロディスプレイ投影技術を使用して可能であり、また、高速のダイレクトビューＬＣＤディスプレイを使用して将来に思い描くことができる。たとえば、プロジェクタ１０４は、Texas Instruments社のＤＬＰ（ＴＭ）技術に基づくマイクロディスプレイ投影を使用しうる。これは、偏光出力がないにも関わらず高フレームレートで投影像を表示可能な確立された技術を提供するので使用する。一時的に十分な性能をもたらし、ＡＰＳ１０２に良好に合うようにする所望の偏光出力を有する液晶に基づいたプロジェクタ技術も使用してもよい。動作時、１２０Ｈｚより高い（＜１／１６０秒／像）レートで右眼像、左眼像を交互に表示可能なプロジェクタ１０４は、連続像が直交する偏光状態で偏光エンコードされるようＡＰＳ１０２と同期されうる。コントローラ１０８は、同期された左像及び右像を交互に供給するようＡＰＳ１０２を制御する。マルチメディアソース１０６は、ビデオ及びオーディオコンテンツを供給し、たとえば、ＤＶＤプレイヤ、デジタルビデオレコーダ、コンピュータ、ビデオゲームコンソール、インターネット、ケーブル、地上波、又は任意のブロードキャストサービス等からのデコードされた入力ストリームでありうる。偏光保存スクリーン１１０からの反射像１１１、１１２に関連して、検光アイウェア１１６を着用した目視者は、右眼で右眼像１１２を見、左眼で左眼像１１１を見、そして、好適な立体像が３Ｄ像感覚１１４においてもたらされる。
【００２４】
どの偏光に基づいた識別技術でも、完全な２次元像が、相補的な（たとえば、直交偏光、反対側の円偏光、またはそれらの組み合わせ）偏光状態を使用して形成される。このことは、投影システム１００に関して上述したが、マイクロ偏光子を有する空間的にパテンティング（patenting）するダイレクトビューディスプレイや、２つのフルカラー高解像度の相補的な偏光画像を２つのディスプレイを使用して連続表示することによる代替のディスプレイシステムを使用することも可能である。
【００２５】
他の実施形態（図示せず）では、連続フレームがアナグリフ動作のためにカラーコード化されるよう偏光に基づいたカラーフィルタを使用してもよい。このような実施形態では、検光アイウェア１１６は、色に基づいてエンコードされた光を識別すると仮定すれば、スクリーンは偏光を保存しなくともよい。他の実施形態は、対応する偏光フィルタに基づいたアイウェアを用いる偏光システムを使用してハイブリッドカラーを提供しうる。
【００２６】
図２は、立体像により奥行き感覚をもたらす概念を説明する概略図２００である。３Ｄの立体視表現は、奥行きを伝達するためには眼の輻輳及び開散に依存する。目視者に近い対象は、両眼を輻輳させ、一方、目視者から遠い対象は、両眼を、平行な光軸を有するポイントまで開散させる。概略図２００には、無限領域で背景において家２０２を示す。これを実現する目的で、別個の左眼像２１０及び右眼像２２０が作成され、それらの内容は、背景における対象に対応する重なり合った領域と、前景における対象を表すオフセットの他の領域を有しうる。たとえば、図３は、前景における対象の奥行き感覚をもたらす概念を説明する概略図３００である。別個の左眼像３１０及び右眼像３２０は、背景に対応する重ね合わさった領域（家３０２は、略平行の視軸を有する）と、左眼像３１０に対してθ度、また、右眼像３２０に対してθ度より大きい角度でオフセットされる他の領域を有する内容を有する。したがって、木３０４は、立体視目視者には前景にあるように見える。図２を再び参照するに、両眼は、略平行な視軸を有するポイントにあるので、背景にある家２０２は背景にあるように見える。
【００２７】
図４は、左右像の円偏光をデコードするよう構成される一実施形態を示す略ブロック図である。左（ＬＨ）円偏光は、左眼（ＬＥ）像から到着する。右（ＲＨ）円偏光は、右眼（ＲＥ）像から到着する。逆の場合も同様に、他の実施形態において、このエンコード化スキームは、たとえば、ＬＨ対ＲＥ、及び、ＲＨ対ＬＥといったように逆にされてもよい。上述した実施形態を再び参照するに、光４１０は、それぞれ左右眼像のための４分の１波長板（ＱＷＰ）４０２ｌ及び４０２ｒに到着する。ＱＷＰ４０２ｌ及び４０２ｒの光軸は、図４において配置するように、直交し、また、それぞれの各偏光子４０４ｌ及び４０４ｒに対して±４５度に方向付けられる。
【００２８】
立体視アイウェアの従来の実施形態では、ＱＷＰ及び偏光子は、立体視アイウェア用の低費用光学フィルタを供給するよう、それぞれ、別個のロールストックから別個の層として互いに積層されている。しかし、ロールストックから延伸ポリマーリターダは、「いわゆる」ウェブに沿って光学アクセスを有する。したがって、ロールストックからのリターダフィルムを偏光子ロールストックに傾斜角（たとえば、４５度）で積層することは、効率のよいロール・ツー・ロール製造処理では行うことができない。というのは、偏光デコーダの製造を完了する目的で、延伸ポリマーリターダ（又は偏光子）ロールストックは切断され、位置合わせされ、好適な向きで積層されなければならないからである。したがって、この課題に対処する一実施形態は、吸収軸を有するロール型偏光子を供給し、そのロール型偏光子の一部上に線形光重合可能（ＬＰＰ）層を堆積し、ＬＰＰ層上に液晶ポリマー（ＬＣＰ）層を堆積することにより得られる、円偏光を検光するフィルタを提供する。ＬＰＰ層及びＬＣＰ層は、ロール型偏光子の吸収軸に対し実質的に４５度の角度にある光軸を有するリターダを供給する。したがって、これは、円偏光をデコードする材料を大量に製造可能な低費用のロール・ツー・ロール処理を提供する。図５を参照して明らかとなるように、本開示による円偏光デコーダの性能は、従来のデコーダより大きい光学性能を提供する。
【００２９】
図５は、線５０２に、従来の円偏光検光子の漏れスペクトルを、線５０４に、本開示による偏光子ロールストック上のＬＰＰ／ＬＣＰを使用する円偏光検光子の漏れスペクトルを表すグラフ５００である。したがって、従来の円偏光検光子は、約５５０ナノメートルの最小漏れ特性を有する。５５０ナノメートルのどちらの側においても、特に、目視者が頭を傾けたときの青及び赤光波長についての色性能は明らかであり、したがって、目視経験に負の影響を与える。特定の条件下ではマゼンタ光が画像を汚染することが見られる。対照的に、本開示による偏光ロールストック上に堆積されるＬＣＰ／ＬＰＰに基づいたリターダを使用するフィルタを有する立体視アイウェアは、可視スペクトルにおいて無彩色性能曲線を示し、したがって、より優れた目視（viewing）性能を提供する。この性能における増加は、偏光エンコーダ（例えば、上述のLiptonによる米国特許第４，７９２，８５０号に記載される無彩色偏光スイッチ）内の液晶の分散特性に合わされた分散特性を有するＬＣＰ層における液晶に主に帰因する。
【００３０】
図６は、ロール型偏光子上に液晶ポリマーに基づくリターダを加工する例示的なシステム６００を示す略ブロック図である。システム６００は、ローラ６０２及び６０４上に取り付けられるロール型偏光子６０３を含む。ロール型偏光子６０３は、一般的に、「いわゆる」ウェブに沿って光軸を有する。システム６００はさらに、図示するように配置される、ＬＰＰ層６０６を堆積する機器、偏光紫外（ＵＶ）光源６０８、ＬＣＰ層６１４を堆積する機器、ＵＶ光６１８を含む。
【００３１】
一般的に、リターダ層を構築するためのＬＰＰ／ＬＣＰ処理は公知であり、そのＬＰＰ／ＬＣＰ処理について参照として組み込む米国特許第６，８７４，８９９号、第６，８４４，９１３号、及び第７，０８４，９４５号に詳細に記載される。なお、当業者は、システム６００は、一回のパスで偏光子ロールストック６０３上に堆積される単一の組み合わせＬＰＰ／ＬＣＰ層を供給するが、ＬＰＰ堆積機器６０６及びＬＣＰ堆積機器６１４、並びに、ＵＶ光６０８及び６１８がウェブに沿って複数回再現されて、それにより、複数のＬＰＰ／ＬＣＰリターダ層を供給しうることを理解すべきである。各ＬＰＰ／ＬＣＰリターダ層は、異なるリターダンス及び方向特性を有する。この点について、他の実施形態は、画素に基づいた特殊多重化又はデュアルプロジェクタ実施において使用されるようなポリマーに基づいた偏光エンコード化に対応するようポリマーに基づいたアイウェアを組み込んでもよい。この場合、正確な逆リターダ（precise inverse reterder）スタックを実施可能であり、一方で、可能な限りクロストークは低くなる。例示的な連続ロール・ツー・ロールＬＰＰ／ＬＣＰ処理は、米国特許第７，０８４，９４５号に記載される。しかし、本開示により、この処理は、ＬＣＰ層とＬＬＰ層が、ポリマー基板ではなく、ロールストック偏光子上に堆積されるよう適応される。なお、米国特許第７，０８４，９４５号の処理は、ＬＰＰ／ＬＣＰ技術を使用するためのガイドとして有用ではあるが、偏光子ではなく、非偏光透明支持体を有する補償板の製造を教示することを意図することに留意されたい。当該技術において既知である他のＬＰＰ／ＬＣＰ処理を使用して偏光ロールストック上にリターダ層を堆積してもよく、米国特許第７，０８４，９４５号に記載される処理は、例示目的の例示的な処理に過ぎないことを理解すべきである。
【００３２】
偏光子ロールストック上にリターダ層を設けるために別の処理を用いてもよい。したがって、ＬＰＰ／ＬＣＰ処理は、本開示内容に一貫するリターダを設ける１つの方法であるが、幾つかの代替処理も存在する。そのような代替処理の１つは、偏光ロールストック上にポリイミド層を堆積することが関連する。ＬＣＰに対して位置合わせ層又はガイドを供給する目的で、ポリイミドは、ブラシ又はローラ機器を使用して（偏光ロールストックの吸収軸に対して）４５度に配置されうる。ポリアミドは、加熱により硬化されうる。次に、ＬＣＰを、ブラシ／ロールで塗布されたポリアミド層がＬＣＰ分子に対し実質的な位置合わせを与えるようその上に塗布してもよい。なお、この処理は、様々な向きで複数のリターダを設けるよう繰り返し可能であることを理解すべきである。
【００３３】
さらに、本開示は、一部の実施形態において、ＬＰＰ／ＬＣＰ処理は、偏光ロールストックの第１の部分（たとえば、１つの面）上に第１のリターダ層を、ロールストックの別の部分（たとえば、もう１つの面）上に第２のリターダ層を堆積するよう使用しうることを認識する。一実施形態では、第１及び第２のリターダ層は、直交する向きを有する。このような直交した向きは、ＬＬＰ層を、偏光ロールストックの１つの面側でＵＶ光（たとえば、図６のＵＶ光源６０８から）の１つの偏光に露出させ、偏光ロールストックのもう１つの面側で直交する偏光に露出させることにより与えられうる。或いは、上述したブラシの技術を使用して、ポリイミド層の両面が、同様の効果を与えるよう直交方向にブラッシングされうる（すなわち、ＬＣＰを位置合わせするためにＬＰＰを使用しない）。ＬＰＰ／ＬＣＰ処理の例示的な実施形態を図７Ａ及び図７Ｂを参照して説明する。
【００３４】
図７Ａは、例示的な検光アイウェア７１０を示す。アイウェア７１０は、フレーム７１２とそこから延在する複数アーム７１４を含む。フレーム７１２は、従来の構造で、また、積層厚紙、プラスチック、又はそれらの組み合わせといった従来の材料を使用してよい。右眼レンズ７１６及び左眼レンズ７１８は、フレーム７１２により定位置に保持される。
【００３５】
図７Ｂは、図７Ａの検光アイウェアを製造する例示システムを示す概略図である。この例示的実施形態では、フレーム７１２ａ及び７１２ｂは、ＬＰＰ／ＬＣＰ偏光子ロールストック７２２の第１の部分７２４と第２の部分７２６との接触面７２５（すなわち、ロールの中心）あたりに中心が合わされうる。従って、フレーム７１２ａ及び７１２ｂは、ＬＰＰ／ＬＣＰ偏光子ロールストック７２２を挟むように重ね合わされ、フレーム７１２ａ及び７１２ｂの形状は積層製品から切出しされ、それにより、立体視アイウェア７１０を製造する低費用の大量生産処理を提供しうる。
【００３６】
図８は、立体像及びそれを見るための偏光エンコーダ／デコーダ８００の別の実施形態を示す略ブロック図である。エンコーダ／デコーダ８００は、画素に基づいた特殊多重化又はデュアルプロジェクタ実施において使用されるようなポリマーに基づく偏光エンコード化に対応するよう構成されうる。この点について、様々な向きを有する連続リターダ層が偏光子上に形成され、偏光エンコーダを供給しうる。対応するデコーダは、ロール型偏光子上に偏光エンコーダに対して相補的な向きを有する連続リターダ層を堆積することにより形成されうる。対応する右眼及び左眼デコーダが、眼鏡フレーム内に配置され、検光アイウェアとして使用される。
【００３７】
例示的な偏光エンコーダ／デコーダスキームを、例示的なエンコーダ８５０及びデコーダ８６０により説明する。右眼及び左眼に向けられる像をエンコードするエンコーダ８５０は、デュアルプロジェクタシステム（図示せず）の右像投影レンズ及び左像投影レンズの近くに位置付けられうるか、又は、画素に基づいた空間多重化スキーム（図示せず）と一貫するダイレクトビューディスプレイにおいて使用されてもよい。
【００３８】
本実施形態では、右眼像は、図示するように配置される偏光子８０２ｒ、リターダ８０４ｒ、及びリターダ８０６ｒを含む偏光子／リターダスタック組み合わせを使用してエンコードされうる。偏光子８０２ｒは、垂直吸収軸を有する。リターダ８０４ｒは、リターダンスＲ１と向きα１°を有する。リターダ８０６ｒは、リターダンスＲ２と向きα２°を有する。
【００３９】
対照的に、左眼像は、垂直吸収軸を有する偏光子８０２ｌ、次にリターダンスＲ１と向き−α１°を有するリターダ８０４ｌ、続いてリターダンスＲ２と向き−α２°を有するリターダ８０６ｌの偏光子／リターダスタック組み合わせを使用してエンコードされうる。なお、他の実施形態では、連続右眼及び左眼リターダ層が関連付けられるリターダンスと相補的な向きを有するよう更なるリターダ層を使用してもよいことを理解すべきである。エンコーダ８５０は、ロールストック偏光子上に堆積される連続ＬＰＰ／ＬＣＰリターダ層を使用して製造されうるが、投影レンズに存在する高温及び高強度露出により適する別の変形もありうる。たとえば、偏光子８０２ｒ、８０２ｌは、ワイヤグリッド偏光子であり、リターダは、ポリカーボネート二軸材料等でありうる。
【００４０】
右眼のエンコードされた光８２０は、１方向において楕円形（又は円形）の偏光を有し、一方、左眼のエンコードされた光８３０は、反対方向において楕円形（又は円形）の偏光を有しうる。
【００４１】
右眼の光８２０及び左眼の光８３０をデコードする目的で、デコーダ８６０は、右眼デコーダと相補的な左眼デコーダを含む。右眼デコーダは、リターダ８０８ｒ、リターダ８１０ｒ、続いて偏光子８１２ｒから構成される。本実施形態では、リターダ８０８ｒは、Ｒ２のリターダンスと、９０°＋α２°の向きを有し、リターダ８１０ｒは、Ｒ１のリターダンスと、９０°＋α１°の向きを有し、偏光子８１２ｒは、９０°の軸を有する。したがって、一般的に、右眼デコーダの構成要素は、右眼エンコーダにおける構成要素とは逆の順番でスタックされ、向きが（＋９０°）直交することに留意されたい。
【００４２】
左眼デコーダも、同様に、一般的に、左眼エンコーダにおける構成要素とは逆の順番でスタックされ、直交向き（−９０°分）を有する構成要素を有する。したがって、左眼デコーダは、Ｒ２のリターダンスと、９０°−α２°の向きを有するリターダ８０８ｌと、続いてＲ２のリターダンスと、９０°−α１°の向きを有するリターダ８１０ｌと、偏光子８１２ｌを含む。
【００４３】
上述したように、偏光デコーダは、ＬＰＰ／ＬＣＰ処理を使用して、ロール型偏光子上に連続ＬＰＰ／ＬＣＰリターダ層を堆積することによって作成されうる。したがって、安価であるが高性能の偏光デコード材料のロール（又はシート）が得られ、これは、検光アイウェアに使用するのに非常に適している。
【００４４】
当業者には、本願の教示内容は、本願の精神又は必要不可欠な特性から逸脱することなく他の特定の形式で具現化可能であることは理解できるであろう。したがって、本願に開示する実施形態は、すべての面において、例示的且つ非制限的であると考えられる。発明の範囲は、上述の説明ではなく請求項により示され、請求項の等価物の意味及び範囲に含まれるすべての変更はそれに包含されることを意図する。
【００４５】
さらに、本願に示すセクションの標題は、３７Ｃ．Ｆ．Ｒ．§１．７７に基づく提案と一貫するよう設けているか、そうでなければ、系統付けるために設けている。これらの標題は、本開示から得られる任意の請求項に記載する発明を限定又は特徴付けるものではない。具体的に、また、例示的に、「技術分野」の標題があるが、請求項は、いわゆる技術分野を説明するこの標題下で選択された用語に限定されるべきではない。さらに、「背景技術」における技術の説明は、その技術が本開示における任意の発明の従来技術であることを認めるものと解釈すべきではない。「発明の概要」も請求項に記載する発明を特徴付けると解釈すべきではない。さらに、本開示における単数形での「発明」との言及を、本開示において１つの新規点しかないという議論に使用すべきではない。本開示に関連付けられる複数の請求項の限定によって複数の発明を提示することができ、また、請求項は、それ相応にそれらの発明及びその等価物を定義し、保護する。いかなる場合においても、請求項の範囲は、明細書を鑑みて解釈されるべきであり、本願に記載する標題により制約されるべきではない。
【図１】
2009505160.tif 000003
【図２】
2009505160.tif 000004
【図３】
2009505160.tif 000005
【図４】
2009505160.tif 000006
【図５】
2009505160.tif 000007
【図６】
2009505160.tif 000008
【図７Ａ】
2009505160.tif 000009
【図７Ｂ】
2009505160.tif 000010
【図８】
2009505160.tif 000011
【国際調査報告】
2009505160.tif 000012